(57)【要約】【課題】より手軽かつ効果的に、乳酸菌を口腔内（特に、歯の間）に付着させること。【解決手段】フロスホルダー１は、ユーザが把持するための把持部４と、把持部４と結合され、フロス５ｄの一端を保持する第１保持部５ａと、フロス５ｄの他端を保持する第２保持部５ｂと、を有する保持部５と、を有し、保持部５によって保持されるフロス５ｄには、乳酸菌１０１が付着している。【選択図】図１
2019025011.tif 000002
【特許請求の範囲】
【請求項１】
ユーザが把持するための把持部と、
前記把持部と結合され、
フロスの一端を保持する第１保持部と、
前記フロスの他端を保持する第２保持部と、
を有する保持部と、を有し、
前記保持部によって保持される前記フロスには、
乳酸菌が付着している
フロスホルダー。
【請求項２】
前記フロスは、乳酸菌に加えて増量成分が少なくとも付着させられている
請求項１に記載のフロスホルダー。
【請求項３】
少なくとも前記増量成分は、前記第１保持部と前記第２保持部との間で、不均一に付着されている
請求項２に記載のフロスホルダー。
【請求項４】
前記乳酸菌は、クリスパタス菌である
請求項１〜３いずれか１項に記載のフロスホルダー。
【請求項５】
乳酸菌を付着させたフロス。
【請求項６】
乳酸菌に加え、増量成分が少なくとも付着している
請求項５に記載のフロス。
【請求項７】
前記増量成分は、フロスの長手方向において不均一の量が付着している
請求項６に記載のフロス。
【請求項８】
前記乳酸菌は、クリスパタス菌である
請求項５〜７いずれか１項に記載のフロスホルダー。
【発明の詳細な説明】
【技術分野】
【０００１】
本発明は、口腔内の歯間の汚れを除去するためのフロスホルダー及びフロスに関する。
【背景技術】
【０００２】
特許文献１には、口腔衛生を向上させる組成物として乳酸菌が用いられる技術が開示されている。
【先行技術文献】
【特許文献】
【０００３】
【特許文献１】特開２０１７−７１５９６号公報
【発明の概要】
【発明が解決しようとする課題】
【０００４】
しかし、より手軽かつ効果的に、乳酸菌を口腔内（特に、歯の間）に付着させることが求められている。
【０００５】
本発明は、より手軽かつ効果的に、乳酸菌を口腔内（特に、歯の間）に付着させることができるフロスホルダー又はフロスを提供することを目的としている。
【課題を解決するための手段】
【０００６】
本発明のフロスホルダーは、ユーザが把持するための把持部と、前記把持部と結合され、フロスの一端を保持する第１保持部と、前記フロスの他端を保持する第２保持部と、を有する保持部と、を有し前、記保持部によって保持される前記フロスには、乳酸菌が付着している。
【０００７】
好適には、前記フロスは、乳酸菌に加えて増量成分が少なくとも付着させられている。
【０００８】
好適には、少なくとも前記増量成分は、前記第１保持部と前記第２保持部との間で、不均一に付着されている
【０００９】
好適には、前記乳酸菌は、クリスパタス菌である。
【００１０】
本発明のフロスは、乳酸菌を付着させたフロスである。
【００１１】
好適には、乳酸菌に加え、増量成分が少なくとも付着している。
【００１２】
好適には、前記増量成分は、フロスの長手方向において不均一の量が付着している。
【００１３】
好適には、前記乳酸菌は、クリスパタス菌である。
【発明の効果】
【００１４】
本発明におけるフロスホルダー又はフロスによって、より手軽かつ効果的に、乳酸菌を口腔内（特に、歯の間）に付着させることが可能となった。
【図面の簡単な説明】
【００１５】
【図１】本発明の第１の実施形態に係るフロスホルダー１を示す説明図である。
【図２】図１のＡ部分の拡大図である。
【図３】第２の実施形態の説明図である。
【図４】第３の実施形態の説明図である。
【図５】第４の実施形態の説明図である。
【図６】第５の実施形態の説明図である。
【図７】第６の実施形態の説明図である。
【図８】第７の実施形態の説明図である。
【図９】第８の実施形態の説明図である。
【図１０】第９の実施形態の説明図である。
【発明を実施するための形態】
【００１６】
＜第１の実施形態＞
図１は、本発明の第１の実施形態に係るフロスホルダー１を示す説明図である。
【００１７】
図１のように、フロスホルダー１は、ニードル部３、把持部４及び保持部５を有している。
把持部４は、長方形状の板形状を有している。この把持部４をユーザは指等で把持することになる。そして、把持部４の四角形状部分には、凸部４ａが２列で複数形成されている。
凸部４ａは、ユーザが把持しやすいように、滑り防止のために設けられている。
【００１８】
把持部４の一端側には、保持部５が接続されている。
把持部４の他端側には、ニードル部３が接続されている。
ニードル部３、把持部４及び保持部５は、一体形成している。例えば、材質はプラスチックである。
【００１９】
保持部５は、第１保持部５ａ、第２保持部５ｂ、Ｕ字部５ｃ及びフロス５ｄを有している。
第１保持部５ａ及び第２保持部５ｂは、把持部４の四角形が形成される平面上であって、ニードル部３と保持部５を結ぶ直線とは直角方向（以下、「延在方向」という）に延在している。
第１保持部５ａ及び第２保持部５ｂは、延在方向にはほぼ同一の長さに伸びている。
第１保持部５ａ及び第２保持部５ｂとの間には、延在方向とは反対側を底部とした、Ｕ字状の溝であるＵ字部５ｃが形成されている。
この溝の内部（＝第１保持部５ａと第２保持部５ｂとの間を掛け渡して）を、フロス５ｄが配置されている。
【００２０】
ニードル部３は、延在方向にカーブしつつ、徐々にその幅が小さくなるように形成されている。
この鍬形状によって、歯間の根元側などに入り込みつつ、歯間のごみをかき出すことが可能となっている。
ニードル部３の把持部４側位置には、延在方向とは反対輪に回り込んだ第１後退部３ａが形成されている。
同様に、保持部５の４側位置には、延在方向とは反対輪に回り込んだ第２後退部４ｂが形成されている。この第２後退部４ｂが形成されていることから、ユーザの口内の唇などに邪魔されずに、予定の位置にフロス５ｄを位置させることが容易になっている。
【００２１】
図２は、図１のＡ部分の拡大図である。
【００２２】
フロス５ｄは、第１保持部５ａの第１圧着部５１ａにおいて、第１保持部５ａと圧着されている。
同様に、フロス５ｄは、第２保持部５ｂの第２圧着部５１ｂにおいて、第２保持部５ｂと圧着されている。
なお、フロス５ｄと第１保持部５ａとの圧着、又は、フロス５ｄと第２保持部５ｂとの圧着は、他の方法で接合することも可能である。
【００２３】
フロス５ｄには、乳酸菌１０１が付着されている。
付着の方法は、例えば、フロス５ｄが長い糸状の際に、乳酸菌１０１のとけた液体中に浸すことによって行うことができる。
その長い糸を、第１保持部５ａの第１圧着部５１ａと、第２保持部５ｂの第２圧着部５１ｂの穴などに通して、圧着している。
【００２４】
図３は、第２の実施形態の説明図である。
【００２５】
図３の様に、さらに、乳酸菌１０１に、オリゴ糖等の、乳酸菌１０１の生育に必要な栄養成分を含んだ増量成分を加えてもよい。
具体的には、オリゴ糖、デキストリン、エリスリトールである。
また、乳酸菌１０１は現在のところ、クリスパタス菌  ＫＴ−１１が最適であると考えている。
また、乳酸菌（例えば、クリスパタス菌  ＫＴ−１１）は、生きていなくてもよい。その場合であっても、既にいる口腔内の乳酸菌に適切な栄養を与えることができるからである。
【００２６】
乳酸菌１０１の粉の割合と、増量成分との割合は、２０対９８０（１：４９、１／４９）である。ただし、この割合は、乳酸粉中に含まれる、乳酸菌１０１の量によって適宜変化可能である。
このように、乳酸菌１０１に多くの増量成分を含んでいるため、図３では、図２よりも、フロス５ｄの周りに肉厚に乳酸菌１０１が付着することになる。
この場合、フロス５ｄを保持部５に保持させた後に、増量成分を含んだ乳酸菌１０１をフロス５ｄ部に付着させることが適切である。
前述のように、乳酸菌１０１の粉の割合と、増量成分との割合は、２０対９８０（１：４９、１／４９）であるが、その割合を変化させて実験を行った結果、１／５〜１／２００であれば、ある程度の適切性があることが分かった。
さらに、１／２０〜１／７０がより適切であることが分かった。
また、オリゴ糖としては、例えば、オリゴ糖としては、イソマルトオリゴ糖、ラクチュロース、パラチノース、フラクトオリゴ糖、ラフィノース、スタキオース、キシロオリゴ糖、マルトオリゴ糖、トレハロース、ガラクトオリゴ糖、乳果オリゴ糖、ビートオリゴ糖、ゲンチオオリゴ糖、ニゲロオリゴ糖、スクロース、ラクトース、マルトース、シクロデキストリン等が挙げられる。
さらに、このようにオリゴ糖を有することから、このフロスホルダー１を使用時に使用者に対して甘みを感じさせることが可能となる。
これによって、フロスホルダー１を、使用者が抵抗なく使用してもらえる効果も期待できる。
【００２７】
増量成分は、オリゴ糖以外に、デキストリン及びエリスリトールを含むことがより適切である。
デキストリン又はエリスリトールは、以下の糖等と置換も可能である。例えば、異性化液糖、ソルビトール、水飴、オリゴ糖、トレハロース、乳糖、キシリトール、澱粉糖化物、還元澱粉糖化物、還元水飴、還元乳糖、蜂蜜、黒糖、グリセリンなどが挙げられ、それらの群より選ばれる少なくとも１種を用いることができる。
ただし、現在のところ、デキストリン及びエリスリトールが最適であると判断している。
その理由は、デキストリンは、顆粒化、粘度土の調整のために必要とされた。
他方で、デキストリンは、無味無臭で食品としても使用されていることから、口内に居ても安全性が高いと判断されたからである。
さらに、エリスリトールは清涼感を出しつつ、虫歯をつくらない甘味料だからである。
なお、デキストリン及びエリスリトールは、その両方が必須ではなく、一方のみでも、所定の機能を発揮する。
さらに、デキストリン及びエリスリトールも、このフロスホルダー１を使用時に使用者に対して甘みを感じさせることが可能となる。
これによって、フロスホルダー１を、使用者が抵抗なく使用してもらえる効果も期待できる。
【００２８】
前述のように、増量粉は、仮にオリゴ糖及びデキストリン及びエリスリトールを含んでいる。
そして、オリゴ糖は、増量粉全体に対して１０％〜４０％の範囲であり、デキストリンは、増量粉全体の重量に対して４０％〜７０％の範囲であり、エリスリトールは、増量粉全体に対して１０％〜３０％の範囲であると適切であることが実験の結果分かった。
エリスリトール及びオリゴ糖が多すぎると甘くなりすぎることから、この両者を合わせた分量が以上の分量とすることが適切であった。
ただし、エリスリトール及びオリゴ糖が少なすぎると、甘味を感じられず、子供等が使用する際に抵抗が大きくなるからである。
この２つの調整の結果、エリスリトール及びオリゴ糖の量を決定している。
また、オリゴ糖は、クリスパタス菌  ＫＴ−１１が生きている場合には、それを栄養にして増殖するために、ある程度の量が必要である。
オリゴ糖は、クリスパタス菌  ＫＴ−１１が生きていなくても口腔内のクリスパタス菌に栄養を与えることができるので、死んでいる筋がフロスホルダー１又はフロスによって供給される場合であっても、ある程度の分量があった方が適切である。
しかし、多すぎると、甘くなりすぎる上に、フロスホルダー１の製造後に、乳酸菌１０１が活性化しすぎるおそれがあり、上記割合に決定されている。
また、エリスリトールは、清涼感を出すためにある程度の料が必要であるが、入れ過ぎると清涼感が逆に効きすぎて使用者に受け入れられないため、上記割合に決定されている。
【００２９】
次に、フロスホルダー１には、粉が砕けることがない（＝安定化）するためにデキストリンが加えられている。さらに、フロスホルダー１には、顆粒化するためにデキストリンが加えられている。そのため、安定化しつつ、砕けずに顆粒化するために、デキストリンはある程度の料が必要である。特に、後述の様な振とうによって製造する場合、砕けないようにするために、ある程度の分量が必要である。
他方、デキストリン自体は、特段効果がないため、できるだけ量を控える必要がある。
そのため、デキストリンの割合は、上記割合が適切であった。
以上の、要素を全て検討した結果、オリゴ糖は、増量粉全体に対して１０％〜４０％の範囲であり、デキストリンは、増量粉全体に対して４０％〜７０％の範囲であり、エリスリトールは、増量粉全体に対して１０％〜３０％の範囲であった。
さらに、デキストリンを６１．６％と、オリゴ糖１９．２％と、エリスリトール１９．２％として増量粉を製造することが、より適切である。
なお、以上のパーセントは、全て重量パーセントである。
【００３０】
増量粉は、オリゴ糖及びデキストリン及びエリスリトールを含んでいると記載したが、これらはあくまで仮であり、必ずしも含まれなくてもよいし、他の成分であってもよい。
【００３１】
また、増量粉は、少なくともキシリトールを含んでいるものであって良い。
キシリトールの場合、使用者に甘みを感じさせつつ、乳酸菌１０１を歯間に塗布することができる。
【００３２】
図４は、第３の実施形態の説明図である。
【００３３】
図４のように、増量成分を含んだ乳酸菌１０１は、第１保持部５ａ側に多く付着させて良い。
つまり、増量成分を含んだ乳酸菌１０１をフロス５ｄに不均一に付着させている。
このようにする理由は、フロス５ｄを歯の間の歯根部分まで侵入させる場合、歯の間の狭い部分の場合、増量成分を含んだ乳酸菌１０１が剥がれてしまうことを防ぐためである。
具体的には、増量成分を含んだ乳酸菌１０１が付着していない部分、又は、増量成分を含んだ乳酸菌１０１が付着の少ない部分（さらには、乳酸菌１０１しか付着していない部分）を使って、歯の間に滑り込ませて、その後、フロスホルダー１をスライドさせて、歯の間に増量成分を含んだ乳酸菌１０１を歯の間にすり込むことが可能となる。
【００３４】
図５は、第４の実施形態の説明図である。
【００３５】
図５のように、増量成分を含んだ乳酸菌１０１は、第２保持部５ｂ側に多く付着させて良い。
【００３６】
図６は、第５の実施形態の説明図である。
【００３７】
図６のように、増量成分を含んだ乳酸菌１０１は、第１保持部５ａと第２保持部５ｂとの間に多く付着させて良い。
【００３８】
図７は、第６の実施形態の説明図である。
【００３９】
図７のように、増量成分を含んだ乳酸菌１０１は、第１保持部５ａ側と、第２保持部５ｂ側のそれぞれに多く付着させて良い。
【００４０】
以上に限らず、不均一に増量成分を含んだ乳酸菌１０１をフロス５ｄに付着させて良い。
【００４１】
図８は、第７の実施形態の説明図である。
ニードル部３にも、増量成分を含んだ乳酸菌１０１を付着してよい。
【００４２】
図９は、第８の実施形態の説明図である。
【００４３】
図９のように、ホルダーを含まないフロス単体の製品に対しても、フロス糸に乳酸菌１０１を付着させて良い。
【００４４】
図１０は、第９の実施形態の説明図である。
【００４５】
図１０のように、第８の実施形態のフロス糸に、増量成分を含んだ乳酸菌１０１をさらに不均一に付着させて良い。
【００４６】
＜実施形態の構成及び効果＞
本実施形態のフロスホルダー１は、ユーザが把持するための把持部４と、把持部４と結合され、フロス５ｄの一端を保持する第１保持部５ａと、フロス５ｄの他端を保持する第２保持部５ｂと、を有する保持部５と、を有し、保持部５によって保持されるフロス５ｄには、乳酸菌１０１が付着している。
このような構成を有することから、より手軽かつ効果的に、乳酸菌１０１を口腔内（特に、歯の間）に付着させることが可能となった。
【００４７】
フロス５ｄは、増量成分が少なくとも付着させられている。
このような構成を有することから、口腔内の乳酸菌１０１をより効果的に増殖させて、口腔内環境をより強力に改善可能となった。
【００４８】
少なくとも増量成分は、第１保持部５ａと第２保持部５ｂとの間で、不均一に付着されている。
このような構成を有することから、歯間に入れる際に増量成分が剥がれ落ちることなどが無くなり、より確実に乳酸菌１０１と増量成分とを歯間の根元側に提供することが可能となる。
【００４９】
乳酸菌１０１は、クリスパタス菌である。
このような構成を有することから、乳酸菌１０１を口腔内（特に、歯の間）に付着させることができる。
【００５０】
本発明のフロス５ｄは、乳酸菌１０１を付着させられている。
このような構成を有することから、口腔内環境をより強力に改善可能となった。
【００５１】
本発明のフロス５ｄは、乳酸菌１０１と、増量成分が少なくとも付着している。
このような構成を有することから、より手軽かつ効果的に、乳酸菌１０１を口腔内（特に、歯の間）に付着させることが可能となった。
【００５２】
増量成分は、フロス５ｄの長手方向において不均一の量が付着している。
このような構成を有することから、歯間に入れる際に増量成分が剥がれ落ちることなどが無くなり、より確実に乳酸菌１０１と増量成分とを歯間の根元側に提供することが可能となる。
【００５３】
乳酸菌１０１は、クリスパタス菌である。
このような構成を有することから、乳酸菌１０１を口腔内（特に、歯の間）に付着させることができる。
【００５４】
本発明における乳酸菌１０１の不均一とは、例えば、断面の直径が断面の大きい部分と、小さい部分とが存在することをいう。例えば、断面の直径が断面の大きい部分と、小さい部分の直径が１．３倍以上異なれば足りる。
また、フロスホルダー１の形状はどのようなものであっても足りる。例えば、フロス５ｄの方向が、延在方向と直行する位置に位置させるようなものであっても足りる。もちろん、用途・対象となる歯の部位によってフロス５ｄの方向はどのような方向のフロスホルダー１であってもよい。
【符号の説明】
【００５５】
１      ：フロスホルダー
３      ：ニードル部
３ａ    ：第１後退部
４      ：把持部
４ａ    ：凸部
４ｂ    ：第２後退部
５      ：保持部
５ａ    ：第１保持部
５ｂ    ：第２保持部
５ｃ    ：Ｕ字部
５ｄ    ：フロス
５１ａ  ：第１圧着部
５１ｂ  ：第２圧着部
１０１  ：乳酸菌
【図１】
2019025011.tif 000003
【図２】
2019025011.tif 000004
【図３】
2019025011.tif 000005
【図４】
2019025011.tif 000006
【図５】
2019025011.tif 000007
【図６】
2019025011.tif 000008
【図７】
2019025011.tif 000009
【図８】
2019025011.tif 000010
【図９】
2019025011.tif 000011
【図１０】
2019025011.tif 000012
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
ユーザが把持するための把持部と、
前記把持部と結合され、
フロスの一端を保持する第１保持部と、
前記フロスの他端を保持する第２保持部と、
を有する保持部と、を有し、
前記保持部によって保持される前記フロスには、
乳酸菌が付着している
フロスホルダー。
【請求項２】
前記フロスは、乳酸菌に加えて増量成分が少なくとも付着させられている
請求項１に記載のフロスホルダー。
【請求項３】
少なくとも前記増量成分は、前記第１保持部と前記第２保持部との間で、不均一に付着されている
請求項２に記載のフロスホルダー。
【請求項４】
前記乳酸菌は、クリスパタス菌である
請求項１〜３いずれか１項に記載のフロスホルダー。
【請求項５】
乳酸菌が付着しているフロス。
【請求項６】
乳酸菌に加え、増量成分が少なくとも付着している
請求項５に記載のフロス。
【請求項７】
前記増量成分は、フロスの長手方向において不均一の量が付着している
請求項６に記載のフロス。
【請求項８】
前記乳酸菌は、クリスパタス菌である
請求項５〜７いずれか１項に記載のフロス。